(57)【要約】【課題】前腕と手の角度をなす手首のコックを規制でき、手首のオーバーコッキングを規制できるスイング練習補助具を提供する。【解決手段】使用者側の引手Ｌとクラブヘッド側の押手Ｒとの両手を用いたゴルフスイング練習に用いるスイング練習補助具１であって、前記スイング練習補助器具１は、少なくとも半球状弾性体２と、リストブレース３と、固定具４とを備え、半球状弾性体２は、球体膜２０に気体２１を入れることにより弾性を有し、断面が半月形状であり、リストブレース３は、少なくとも前記半球状弾性体２と引手Ｌとの間にあるものであり、固定具４は、引手Ｌとスイング練習補助具１とを固定するものであり、前記固定により半球状弾性体２は、使用者がクラブを構えスイングを行う時に、引手Ｌ手首と押手Ｒ手首とに挟まれると共に引手Ｌの親指中手骨と手首との動きを規制するスイング練習補助具。【選択図】図２
2014180480.tif 000002
【特許請求の範囲】
【請求項１】
使用者側の引手（Ｌ）とクラブヘッド側の押手（Ｒ）との両手を用いた
ゴルフスイング練習に用いるスイング練習補助具（１）であって、
前記スイング練習補助器具（１）は、少なくとも
半球状弾性体（２）と、リストブレース（３）と、固定具（４）とを備え、
半球状弾性体（２）は、
球体膜（２０）に気体（２１）を入れることにより弾性を有し、
断面が半月形状であり、
リストブレース（３）は、少なくとも
前記半球状弾性体（２）と引手（Ｌ）との間にあるものであり、
固定具（４）は、
引手（Ｌ）とスイング練習補助具（１）とを固定するものであり
前記固定により半球状弾性体（２）は、
使用者がクラブを構えスイングを行う時に、
引手（Ｌ）手首と押手（Ｒ）手首とに挟まれると共に
引手（Ｌ）の親指中手骨と手首との動きを規制する
ことを特徴とするスイング練習補助具。
【請求項２】
球体膜（２０）は、エラストマからなり
少なくとも、リストブレース（３）の引手（Ｌ）接触端部に食い込み、
中手骨接触部（３０）を形成し、
中手骨接触部（３０）は、
引手（Ｌ）の親指中手骨の動きを弾力的に規制する
ことを特徴とする請求項１に記載のスイング練習補助具。
【請求項３】
使用者側の引手（Ｌ）の親指がクラブシャフトに沿うように
クラブヘッド側の押手（Ｒ）によって握られ、
リストコックを規制して行うゴルフスイングのスイング練習補助具であって、
固定具（４）は、固定ベルト（４０）であり、
固定ベルト（４０）は、引手（Ｌ）に
リストブレース（３）、半球状弾性体（２）の順でこれらを固定するものである
ことを特徴とする請求項１又は請求項２に記載のスイング練習補助具。
【請求項４】
スイング練習補助具（１）の表面に、
使用者引手（Ｌ）の取り付け箇所を記載したこと
を特徴とする請求項１から請求項３のいずれか１項に記載のスイング練習補助具。
【発明の詳細な説明】
【技術分野】
【０００１】
本発明は、使用者側の引手とクラブヘッド側の押手との両手を用いたゴルフスイング練習に用いるゴルフスイングの練習補助具に関するものである。
【背景技術】
【０００２】
従来、世界各国では、ゴルフ競技が楽しまれている。このゴルフ競技において、ゴルフボールをゴルフクラブヘッドでプレイヤーの意識する方向に飛ばすのは大変困難であり、初心者の最初の壁である。
プレイヤーの意識する方向に飛ばすには正しいスイングを習得することが必要であり、ゴルフスイングは、両足、両膝、両腿、腰、胴体、頭部、両肩、両上腕、肘、前腕、手首、手、指といった人体部位を用いて、アドレス、テイクバック、バックスイング、トップ、ダウンスイング、インパクト、フォロースルーといった順でなされるものである。
【０００３】
近年のゴルフクラブの進化に伴い、理想的なゴルフスイングも変遷している。即ち、昔のドライバーはパーシモンヘッドと重いスチールシャフトからなっており、当時のスイングはスクエアグリップで手（腕）をターン（返す）させて、ヘッドスピードを上げる動きが重視されていた。これに対して、最近のクラブ、特にドライバーは大容量チタンヘッドで軽量カーボンシャフトが主流となり、慣性モーメントの高いクラブに進化している。最新のクラブで昔のスイングと同じように手をターンさせ過ぎると、慣性モーメントが高い為にボールの方向性が悪くなることから、最近のスイングはグリップをストロングにして、インパクトゾーンで手の回転をなるべく抑え、クラブフェースがスクウェアなインパクトを迎えることができるように、体の回転を重視したスイングが主流になっている。
【０００４】
また、前腕と手とを繋ぐ手首におけるスイングの要素は、コックと称され、ゴルフ初心者から中級者においては扱いが困難であり、コックをあまり使わずに規制するスイングが推奨されている。
たとえば、バックスイングからトップにおいて前腕と手の角度を変更するレイトコックよりも、テイクバック時に行うアーリーコックを初心者に推奨する専門家が多い。
【０００５】
しかしながら、ゴルフボールを飛ばそうと意識すると、アーリーコックを前提としたとしても、トップ時にさらに手首に角度をつけオーバーコッキングとしてしまい、安定しないオーバースイングを行ってしまう初心者が多いものであった。
初心者中級者におけるオーバースイングは、安定しない手首・肘を用いたスイングであるため、クラブヘッドがボールをインパクトする際、クラブヘッドのフェースが開いたり閉じたりし、ボールをまっすぐに飛ばすことが困難なスイングであるとされている。
したがって、アーリーコックスイングに代表されるように手首の動きを規制して、インパクトゾーンにおける手の回転を抑え、現在の理想的なゴルフスイングであるオンプレーンスイング（クラブヘッドを正しいスイングプレーンに乗せてスイングすること）を練習するのが好ましい。
【０００６】
そして、スイングを行う練習器具が多々開発されている。例えば、片手に取り付け前腕同士の幅を決める発明が特許文献１に記載されている。片手に取り付け、クラブシャフトとの距離を一定に保つ考案が特許文献２に記載されている。また、両手に取り付け、前腕同士や上腕同士の幅を決める発明が特許文献３〜６に記載されている。
【先行技術文献】
【特許文献】
【０００７】
【特許文献１】特開２００６−２１２１６７号公報
【０００８】
【特許文献２】公開実用新案平３−１５５７３号公報
【０００９】
【特許文献３】特開平１０−９４６２７号公報
【００１０】
【特許文献４】特許第２７９９６８５号公報
【００１１】
【特許文献５】特許第４６５９９２１号公報
【００１２】
【特許文献６】公開実用新案昭４５−１８３４８号公報
【発明の概要】
【発明が解決しようとする課題】
【００１３】
しかしながら、前述の先行技術では、前腕と手の角度をなす手首のコックを規制できるものではなく、手首のオーバーコッキングを規制できるスイング練習補助具が必要とされている。
【課題を解決するための手段】
【００１４】
（請求項１記載の発明）
請求項１記載の発明は、使用者側の引手とクラブヘッド側の押手との両手を用いたゴルフスイング練習に用いるスイング練習補助具であって、前記スイング練習補助器具は、少なくとも半球状弾性体と、リストブレースと、固定具とを備え、半球状弾性体は、球体膜に気体を入れることにより弾性を有し、断面が半月形状であり、
リストブレースは、少なくとも前記半球状弾性体と引手との間にあるものであり、固定具は、引手とスイング練習補助具とを固定するものでありリストブレースは、前記半球状弾性体に取り付けられるものであり、固定具は、引手とスイング練習補助具とを固定するものであり、前記固定により半球状弾性体は、使用者がクラブを構えスイングを行う時に、引手手首と押手手首とに挟まれると共に引手の親指中手骨と手首との動きを規制することを特徴とする。
（請求項２記載の発明）
請求項２記載の発明は、請求項１に記載のスイング練習補助具であって、球体膜は、エラストマからなり、少なくとも、リストブレースの引手接触端部に食い込み、中手骨接触部を形成し、中手骨接触部は、引手の親指中手骨の動きを弾力的に規制することを特徴とする。
（請求項３記載の発明）
請求項３記載の発明は、使用者側の引手の親指がクラブシャフトに沿うようにクラブヘッド側の押手によって握られ、リストコックを規制して行う請求項１又は２に記載のスイング練習補助具であって、固定具は、固定ベルトであり、固定ベルトは、引手にリストブレース、半球状弾性体の順でこれらを固定するものであることを特徴とする。
（請求項４記載の発明）
請求項４記載の発明は、請求項１乃至３のいずれかに記載の発明であって、スイング練習補助具の表面に、使用者引手の取り付け箇所を記載したことを特徴とする。
【発明の効果】
【００１５】
（請求項１記載の発明の効果）
請求項１記載の発明において、グリップを握ったとき半球状弾性体は、引手手首と押手手首とに挟まれ、引手親指の付け根から手首までの三角形を埋めることにより、引手の親指中手骨と手首との動きを規制する。
これにより、前腕と手の角度をなす手首のコックを規制し、いわゆるオーバーコッキングのないスイングを可能とするスイング練習補助具を提供することができる。
また、球体膜内の気体量を調節するとこによって、手の大きさ及び前腕の長さに調節することができる。
従来技術においては、前腕や肘で挟むものが多く両肩に力が入り、バックスイングやターンをしづらいものであったが、請求項１記載の発明は、通常のグリップを同じよう利用できるので、肩によけいな力が入らないものである。
（請求項２記載の発明の効果）
請求項２記載の構成とすると、エラストマに包まれたリストブレースのエッジが柔らかいものとなり、プレイヤーが力いっぱいスイングしたとしても緩やかにオーバーコッキングの規制をすることができる。
（請求項３記載の発明の効果）
固定ベルトを設けると、リストブレースと半球状弾性体が別々であっても、一体化させて用いることができる。
（請求項４記載の発明の効果）
使用者が分かりやすいように、引手の親指中手骨位置に対応する取り付け箇所をスイング練習補助具の表面に記載してもよい。
【図面の簡単な説明】
【００１６】
【図１】スイング練習補助具使用時の全体斜視図である。
【図２】スイング練習補助具背面の全体斜視図である。
【図３】スイング練習補助具の平面図である。
【図４】スイング練習補助具の中央Ａ−Ａ断面図である。
【図５】スイング練習補助具の中央Ｂ−Ｂ断面図である。
【発明を実施するための形態】
【００１７】
以下のこの発明のスイング練習補助具を実施例として示す各図とともに説明する。
【実施例１】
【００１８】
〔１．スイング練習補助具１について〕
図１に示すように、スイング練習補助具１は、使用者側の引手Ｌとクラブヘッド側の押手Ｒとの両手を用いたゴルフスイング練習に用いるものである。
ゴルフスイングは、アドレス、テイクバック、バックスイング、トップ、ダウンスイング、インパクト、フォロースルーといった順でなされるものである。引手Ｌと押手Ｒの表現は、トップ、ダウンスイング、インパクト、フォロースルーの動作を行う際の手ＬＲの動きに基づくものである。
右利きプレイヤーの場合、図１に示すように、引手Ｌは左手となり押手Ｒは右手となる。左利きプレイヤーの場合、図１は鏡写しとなり、引手Ｌは右手となり押手Ｒは左手となる。
そして、スイング練習補助具１は引手Ｌに装着するものであり、半球状弾性体２と、リストブレース３と、カバー１０と、固定具４とを備えるものである。
カバー１０は、半球状弾性体２とリストブレース３とを一体化させている。
【００１９】
〔２．半球状弾性体２について〕
半球状弾性体２は、図２〜図５に示すように、球体膜２０内に気体２１を入れ、弾性を有するものである。
半球状弾性体２は、外力が加わらなければ直径１００ｍｍ〜２００ｍｍの略球形であり、リストブレース３によって変形されている。この変形は、図４、５に示すように、半球状弾性体２断面を半月形状とするものである。前述の半月形状は、三日月形状や、みかんの果皮内にある一房の側面の如く、ヘミサイクル形状である。
球膜体２０は、天然ゴム、ウレタンゴム、シリコーンゴム、フッ素ゴム、その他の合成ゴムなどのエラストマ材料を用いるのが好ましい。
そして、球膜体２０の弾性は、内部の気体２１の圧力を１１００００Ｐａ〜１５００００Ｐａとなると変形するものを用いるのが好ましい。
また、内部の気体２１量を増減させることにより、半球状弾性体２のサイズ調整が可能である。
【００２０】
〔３.リストブレース３について〕
リストブレース３は、図２〜図５に示すように、半球状弾性体２と共にカバー１０で覆われることによって、半球状弾性体２を断面半月形状となるように変形させている。
リストブレース３は、図１に示すように、引手Ｌ前腕長手方向に伸びる円筒壁面のように撓み、スイング開始前の引手Ｌの手首と親指中手骨に沿うものである。リストブレース３の引手Ｌ側端部には、中手骨接触部３０を設けるのが好ましい
リストブレース３には、２ｍｍ〜５ｍｍ厚のポリ塩化ビニル、ポリプロピレン、ポリエチレンテレフタラートなどを用いることができる。
リストブレース３と半球状弾性体２とを一体成型することもできる。リストブレース３の硬度は、半球状弾性２の硬度よりも大きいものとするのが好ましい。
【００２１】
〔３−１．中手骨接触部３０について〕
エラストマからなる球体膜２０は、図５に示すように、少なくともリストブレース３の引手Ｌ接触端部に食い込み、中手骨接触部３０を形成する。そして中手骨接触部３０は、引手Ｌの親指中手骨の動きを弾力的に規制するものである。
リストブレース３が長方形である場合、前述した球体膜２０の食い込みは、リストブレース３の引手Ｌ側の辺に設けられ、引手Ｌ側の辺を覆うようになされるものである。また、引手Ｌ側の辺対向するリストブレース３の端部に設け、スイング練習補助具１を上下逆転させても利用可能とすることができる。
【００２２】
〔３−２．リストブレース３と中手骨接触部３０によるリストコックの規制について〕
引手Ｌに取り付けられたスイング練習補助具１において、リストブレース３は、引手Ｌの前腕先端から親指付け根まで、円筒壁面形状に撓み円弧状態となる。円弧状態となったリストブレース３は、引手Ｌの前腕と手の角度変化に対して変形し難いものとなる。次に、引手Ｌの前腕と親指中手骨との角度が大きくなると、中手骨接触部３０が押手Ｒ側に移動しようとし、引手Ｌの手首部と変形し難いリストブレース３との間に隙間を作ろうとする。前述の隙間を作ろうとしても、半球状弾性体２のリストブレース３の対向部分は、押手Ｒに当たり、このリストブレース３の移動は、気体２１の弾力によって規制される。
結果として前述の規制は、使用者側の引手Ｌの親指がクラブシャフトに沿うようにクラブヘッド側の押手Ｒによって握られた場合、使用者側の引手Ｌ前腕長手方向と、クラブシャフトの角度が規制されるものとなる。
【００２３】
〔４．固定具４について〕
固定具４は、引手Ｌとスイング練習補助具１とを固定するものであり、半球状弾性体２とリストブレース３とが一体となっている場合引手Ｌの手首を挟む態様であってもよい。図１に示すように、固定ベルト４０とすると、半球状弾性体２とリストブレース３とが別体であっても一体化させて引手Ｌに固定することができ、好ましい。
固定ベルト４０は、任意の長さで固定できるベルト具であれば良く、取り付け・取り外しが簡易で細かい長さ調整が可能な面ファスナを用いるのが好ましい。
また、一端を面ファスナホック部とし、中央部を面ファスナループ部とし、もう一端は最端に折り返しバックル４１を設けた伸縮ゴムベルト４２とするのが好ましい。このようにすると、面ファスナ部を折り返しバックル４１に通し、折り返してループ部で固定することができる。そして、リストブレース３側位置に伸縮ゴムベルト４２を移動させるのが好ましい。
図１に示す固定ベルト４０は、全長５００ｍｍ、幅２５ｍｍ、厚さ１ｍｍのものを用いた。また、カバー１０と固定ベルト４０とを一体としてもよい。
【００２４】
〔５．引手Ｌへの取り付け位置について〕
スイング練習補助具１の引手Ｌへの取り付け位置は、図１に示すように、前述の固定具４が手首関節の角度変更点を覆うようにすると共に、固定具４が半球状弾性体２の中央頂上を通過する態様で取り付ける。
取り付けにより固定された半球状弾性体２は、使用者がクラブを構えスイングを行う時に、引手Ｌ手首と押手Ｒ手首とに挟まれる態様となる。
この取り付けが簡単となるように、スイング練習補助具１の表面となるカバー１０に、取り付け箇所を記載するのが好ましい。
【００２５】
〔６．スイングの改善について〕
次に、スイング練習補助具１を引手Ｌに取り付けた場合の、スイングの改善について説明する。
スイングは、アドレス、テイクバック、バックスイング、トップ、ダウンスイング、インパクト、フォロースルーの順でなされるものとし、順々にスイング練習補助具１の効果を説明する。
【００２６】
〔６−１．アドレス時の効果〕
アドレス時には、両肩を辺とし、引手Ｌ押手Ｒとを下側頂点とする逆三角形を保持するようにクラブを構えるものである。この際、特開２００６−２１２１６７号などは、手首から肘の間で挟もうとする力が加わる為、両肩に力が入り、背中の筋肉も固くなり、後述するバックスイングがしづらくなるものであった。しかしながら、本発明のスイング練習補助具１は、親指の付け根から手首にかけて装着するため、グリップを握る力だけでよく、肩に力が入りにくいものとなる。
また、本発明のスイング練習補助具１では、半球状弾性体２を用いて前述の逆三角形を埋める態様であるので、自然なフォームをとるとこができ、体の軸がぶれないようにアドレスすることができる。
【００２７】
〔６−２．テイクバック、バックスイング時の効果〕
テイクバックでは、手首のコッキングでクラブヘッドをスイングプレーンに乗せ、アドレス時の逆三角形と、体とグリップとの間隔を保持すべきである。
しかしながら、特開２００６−２１２１６７号などは、両腕で挟む力を必要とし、押手Ｒが不自然な動作となる。本発明のスイング練習補助具１は、グリップを握る力だけで、テイクバックおよびバックスイングができるので、押手Ｒに余分な力が入らず、自然に動かすことができる。
また、本発明のスイング練習補助具１は、押手Ｒの手首部分で半球状弾性体２を押さえるので、押手Ｒの脇が開かず、フライングエルボの防止にもなる。
【００２８】
〔６−３．バックスイング、トップ時の効果〕
バックスイングでは、体の中心である体幹を捩じりながらクラブを右肩サイドまで振り上げる。この結果、クラブの慣性モーメントによってトップでは、クラブが地面と略平行な地点に収まる。理想的なトップ位置は引手Ｌ、シャフト、フェース面が一枚の板の上に乗っている。
ここにおいて前腕の長手軸と引手Ｌの親指中手骨の角度が大きくなると、クラブシャフトが略並行から垂直状態に近づき、オーバーコッキングやオーバースイングと呼ばれる状態になる。
初心者中級者におけるオーバースイングは、安定しない手首・肘を用いたスイングであるため、クラブヘッドがボールをインパクトする際、クラブヘッドのフェースが開いたり閉じたりし、球筋が安定しない。このようなスイングの改善方法として、オーバーコッキングの防止がある。オーバーコッキングの防止とは、すなわちリストコックを規制するものであり、言い換えると、前腕の長手軸と引手の親指中手骨の角度が大きくならないように規制するものである。特開２００６−２１２１６７号などは、バックスイング、トップ時においても両腕で挟む力を必要とし、押手Ｒが不自然な動作となる。本発明のスイング練習補助具１は、グリップを握る力だけで、バックスイングからトップの形ができるので、押手Ｒに余分な力が入らず、自然に動かすことができつつオーバーコッキングを防止する。
【００２９】
〔６−４．ダウンスイング、インパクト時の効果〕
ダウンスイングの初期段階では腕とクラブの重さを利用し、クラブを自然落下させてスイングプレーンにクラブを乗せる。次いで、手首のコッキングをできる限り解かず、インパクトゾーンの軌道に沿ってクラブヘッドを加速させる。この時、半球状弾性体２は、引手Ｌと押手Ｒの手首または前腕部の一方をフリーの状態とする作用により、引手Ｌと押手Ｒの手首乃至前腕部が半球状弾性体２を収縮させて接近することを規制する作用を有している。したがって、前記アドレス時の逆三角形を保持すると同時に、インパクトゾーンにおける過度の手の回転（ロール）も抑えられる。
【００３０】
〔６−５．インパクト、フォロースルー時の効果〕
インパクトから手首のコッキングを解き放ち、クラブヘッドを開放する（リリース動作とも言う。）ことにより、フォロースルーではクラブヘッドに最大の遠心力が働いた後、フィニッシュに至る。
この際、特開２００６−２１２１６７号などは、両腕で挟む力を必要とし、体をターンすることが難しいものであるが、本発明のスイング練習補助具１は、親指の付け根から手首にかけて装着するため、ボディターンが容易なものとなる。
また、フォロースルーの際も、親指の付け根から手首にかけて半球状弾性体２を挟むものであるので、引手Ｌの肘が体から離れず、脇が閉まった正しいフォロースルーとなる。
【産業上の利用可能性】
【００３１】
前述の書面においては、プレイヤーが力んだ際に発生するレイトコッキングの解決を中心に記載したが、例えばアーリーコッキングを行う際の目安のコッキング量を規制するのに利用することもできる。
【符号の説明】
【００３２】
Ｌ        引手
Ｒ        押手
１        スイング練習補助具
１０      カバー
２        半球状弾性体
２０      球体膜
２１      気体
３        リストブレース
３０      中手骨接触部
４        固定具
４０      固定ベルト
４１      バックル
４２      伸縮ゴムベルト
【図１】
2014180480.tif 000003
【図２】
2014180480.tif 000004
【図３】
2014180480.tif 000005
【図４】
2014180480.tif 000006
【図５】
2014180480.tif 000007